(57)【要約】【課題】排水される水でドーム形状を形成できるようにすることで、従来にはない新規な印象を与えることが可能な水遊び玩具を提供する。【解決手段】周方向に開口した開口部１０ａから排水される水でドーム形状を形成することが可能な水遊び玩具１０であって、水の入口のとなる導入口２１と水を排出する排出口２２とを備えた筒状部２０と、前記排出口２２に臨むように間隙を設けて配設された円板部３０と、前記筒状部２０と前記円板部３０とを接続する軸部２５、３１と、を備え、前記筒状部２０と前記円板部３０と間隙によって周方向に開口した前記開口部１０ａを形成し、前記軸部２５、３１を前記筒状部２０及び前記円板部３０の中心軸上に配置した。【選択図】図４
0003184088.tif 000002
【実用新案登録請求の範囲】
【請求項１】
周方向に開口した開口部から排水される水でドーム形状を形成することが可能な水遊び玩具であって、
水の入口のとなる導入口と水を排出する排出口とを備えた筒状部と、
前記排出口に臨むように間隙を設けて配設された円板部と、
前記筒状部と前記円板部とを接続する軸部と、
を備え、
前記筒状部と前記円板部と間隙によって周方向に開口した前記開口部を形成し、
前記軸部を前記筒状部及び前記円板部の中心軸上に配置したことを特徴とする、水遊び玩具。
【請求項２】
前記筒状部の内周面は、前記排出口に向かって徐々に縮径する円錐形状のテーパ部を備えることを特徴とする、請求項１記載の水遊び玩具。
【請求項３】
前記導入口に接続されるタンク部を備えることを特徴とする、請求項１又は２記載の水遊び玩具。
【請求項４】
前記開口部を周方向の所定位置において遮断する排水遮断手段を備えることを特徴とする、請求項１〜３のいずれかに記載の水遊び玩具。
【請求項５】
前記排水遮断手段は、前記筒状部の外周に沿って軸方向にスライド可能なリング状部材で構成されることを特徴とする、請求項４記載の水遊び玩具。
【請求項６】
前記排水遮断手段は、前記開口部を異なる位置で遮断する複数の遮断部を備え、前記筒状部の外周に沿って軸方向にスライドさせることで前記複数の遮断部のうちのどの遮断部で前記開口部を遮断するかを切替可能であることを特徴とする、請求項５記載の水遊び玩具。
【考案の詳細な説明】
【技術分野】
【０００１】
この考案は、周方向に開口した開口部から排水される水でドーム形状を形成することが可能な水遊び玩具に関する。
【背景技術】
【０００２】
従来、水遊び用の玩具として種々のものが実用に供されており、例えば特許文献１には、水がシャワー状になって落ちたときに空気の移動で笛が鳴るようにしたシャワー玩具が記載されている。
【先行技術文献】
【特許文献】
【０００３】
【特許文献１】実開平１−１７０２９６号公報
【考案の概要】
【考案が解決しようとする課題】
【０００４】
しかしながら、上記した特許文献１記載のシャワー玩具は、線状の水を排水するだけであり、排出される水の形状を工夫したものではなかった。
【０００５】
そこで、本考案は、排水される水でドーム形状を形成できるようにすることで、従来にはない新規な印象を与えることが可能な水遊び玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
すなわち、請求項１に記載の水遊び玩具は、周方向に開口した開口部から排水される水でドーム形状を形成することが可能な水遊び玩具であって、水の入口のとなる導入口と水を排出する排出口とを備えた筒状部と、前記排出口に臨むように間隙を設けて配設された円板部と、前記筒状部と前記円板部とを接続する軸部と、を備え、前記筒状部と前記円板部と間隙によって周方向に開口した前記開口部を形成し、前記軸部を前記筒状部及び前記円板部の中心軸上に配置したことを特徴とする。
【０００８】
（請求項２）
請求項２に記載の考案は、上記した請求項１記載の考案の特徴点に加え、以下の点を特徴とする。
すなわち、前記筒状部の内周面は、前記排出口に向かって徐々に縮径する円錐形状のテーパ部を備えることを特徴とする。
【０００９】
（請求項３）
請求項３に記載の考案は、上記した請求項１又は２記載の考案の特徴点に加え、以下の点を特徴とする。
すなわち、前記導入口に接続されるタンク部を備えることを特徴とする。
【００１０】
（請求項４）
請求項４に記載の考案は、上記した請求項１〜３のいずれかに記載の考案の特徴点に加え、以下の点を特徴とする。
すなわち、前記開口部を周方向の所定位置において遮断する排水遮断手段を備えることを特徴とする。
【００１１】
（請求項５）
請求項５に記載の考案は、上記した請求項４記載の考案の特徴点に加え、以下の点を特徴とする。
すなわち、前記排水遮断手段は、前記筒状部の外周に沿って軸方向にスライド可能なリング状部材で構成されることを特徴とする。
【００１２】
（請求項６）
請求項６に記載の考案は、上記した請求項５記載の考案の特徴点に加え、以下の点を特徴とする。
すなわち、前記排水遮断手段は、前記開口部を異なる位置で遮断する複数の遮断部を備え、前記筒状部の外周に沿って軸方向にスライドさせることで前記複数の遮断部のうちのどの遮断部で前記開口部を遮断するかを切替可能であることを特徴とする。
【考案の効果】
【００１３】
請求項１に記載の考案は上記の通りであり、筒状部と円板部と間隙によって周方向に開口した開口部を形成したので、この開口部から水が外周方向に排水されてスカート状に広がるので、排水される水でドーム形状を形成することができる。しかも、筒状部と円板部とを接続する軸部を筒状部及び円板部の中心軸上に配置したので、開口部からの排水の流れが軸部によって妨げられないので、きれいなドーム形状を形成することができる。
【００１４】
また、請求項２に記載の考案は上記の通りであり、前記筒状部の内周面は、前記排出口に向かって徐々に縮径する円錐形状のテーパ部を備えるので、排水される水の流速を増すことができる。流速を増すことで開口部から勢いよく排水することができるので、大きく外側に広がったドーム形状を形成することができる。
【００１５】
また、請求項３に記載の考案は上記の通りであり、前記導入口に接続されるタンク部を備えているため、タンク部に水を貯留して開口部を下にするだけで遊ぶことができる。よって、小さな子供でも簡単に持ち運んで遊ぶことができる。
【００１６】
また、請求項４に記載の考案は上記の通りであり、前記開口部を周方向の所定位置において遮断する排水遮断手段を備えているため、排水遮断手段を用いることによって水で形成される形状を変えることができる。
【００１７】
また、請求項５に記載の考案は上記の通りであり、前記排水遮断手段は、前記筒状部の外周に沿って軸方向にスライド可能なリング状部材で構成されているので、排水遮断手段をスライドさせるだけで、水で形成される形状を容易に変えることができる。
【００１８】
また、請求項６に記載の考案は上記の通りであり、前記排水遮断手段は、前記筒状部の外周に沿って軸方向にスライドさせることで、複数の遮断部のうちのどの遮断部で前記開口部を遮断するかを切替可能である。すなわち、排水遮断手段をスライドさせることで、水で形成される形状を多段階に切り替えることができるので、様々な形状を水で形成して遊ぶことができる。
【図面の簡単な説明】
【００１９】
【図１】（ａ）水遊び玩具の外観図、（ｂ）水遊び玩具の内部構造を示す斜視図である。
【図２】水遊び玩具の分解斜視図である。
【図３】筒状部の斜視図である。
【図４】筒状部の（ａ）平面図、（ｂ）断面図、（ｃ）円板部を組み合わせたときの図である。
【図５】排水遮断手段の分解斜視図である。
【図６】別の角度から見た排水遮断手段の分解斜視図である。
【図７】排水遮断手段の斜視図である。
【図８】排水遮断手段をスライドさせたときの開口部との関係を示す図であって、（ａ）開口部を遮断していない状態の図、（ｂ）開口部を第１遮断部で遮断した状態の図、（ｃ）開口部を第２遮断部で遮断した状態の図、（ｄ）開口部を第３遮断部で遮断した状態の図である。
【図９】排水遮断手段によって水の流れが変わる様子を上から見た図であって、（ａ）開口部を第１遮断部で遮断した状態の図、（ｂ）開口部を第２遮断部で遮断した状態の図、（ｃ）開口部を第３遮断部で遮断した状態の図である。
【考案を実施するための形態】
【００２０】
本考案の実施形態について、図を参照しつつ説明する。
【００２１】
本実施形態に係る水遊び玩具１０は、周方向に開口した開口部１０ａから排水される水でドーム形状を形成することが可能なものであり、図１に示すように、動物（本実施形態においてはサル）を模した形状の玩具である。この水遊び玩具１０は、本体１１と、本体１１の下部に内蔵されて固定される筒状部２０と、筒状部２０の下方に配置される円板部３０と、筒状部２０の外周にスライド可能に装着された排水遮断手段４０と、を備えている。
【００２２】
本体１１は、前面パーツ１２と後面パーツ１３とを組み合わせて形成される部材である。この本体１１は、水を貯留可能なタンク部１１ｃを備えている。このタンク部１１ｃは、上方に向けて開口した給水口１３ａから水を注ぎ込むことで水を貯められるように形成されている。本実施形態においては、幼児が持ち運び可能な重さと大きさを考慮して、タンク部１１ｃの容量は６００〜７５０ｃｃに設定してある。
【００２３】
また、このタンク部１１ｃの下部には、タンク部１１ｃと連通する中空部を備えた脚部１１ｄが形成されている。この脚部１１ｄの中空部には、後述する筒状部２０や排水遮断手段４０が配置される。また、この脚部１１ｄの両側部にはスリット１１ｂが形成され、排水遮断手段４０のハンドル４１ｃ（後述）を外部に突出させることができるようになっている。なお、このスリット１１ｂは両端が塞がれた長孔形状であるため、排水遮断手段４０のハンドル４１ｃがスリット１１ｂの範囲内でのみ移動を許容されるようになっており、ハンドル４１ｃが本体１１から外れてしまわないようになっている。
【００２４】
なお、本体１１の両側には把手１１ａが設けられており、水遊び玩具１０で遊ぶ際にはこの把手１１ａを持って遊ぶことができるようになっている。
【００２５】
筒状部２０は、図２〜４に示すような筒状部材である。筒状部２０は、上下に連通する開口部を備えている。上部の開口部である導入口２１は水の入口となるものである。下部の開口部である排出口２２は水を排出するためのものである。
【００２６】
筒状部２０の導入口２１は、図３等に示すように、漏斗状に拡開してタンク部１１ｃに接続されているため、本体１１の給水口１３ａから水を注ぎ込むと、注ぎ込まれた水はタンク部１１ｃに貯留された後に導入口２１を通って筒状部２０の内部に導入され、排出口２２から排出されるようになっている。
【００２７】
筒状部２０の内周面は、図４（ｂ）に示すように、排出口２２に向かって徐々に縮径する円錐形状のテーパ部２３を備えている。このテーパ部２３によって、排出口２２から排出される水の流速が徐々に増し、排出口２２付近で最も速くなるようになっている。
【００２８】
また、筒状部２０の排出口２２付近には、直径方向に十字に支持アーム２４が架設されている。この支持アーム２４は、接続軸２５を支持するためのものである。支持アーム２４は、接続軸２５が筒状部２０及び円板部３０の中心軸上に配置されるように接続軸２５を支持している。接続軸２５を筒状部２０及び円板部３０の中心軸上に配置することで、接続軸２５が水の流速をなるべく殺がないようになっている。また、この接続軸２５は、図４（ｂ）等に示すように、先端が円錐形状で形成されており、これによっても水の流速をなるべく殺がないように工夫されている。なお、この接続軸２５は、下端に円板部３０を接続するための接続突起２６を備えている。
【００２９】
円板部３０は、図４（ｃ）に示すように、排出口２２に臨むように間隙を設けて配設される。具体的には、円板部３０の中心部には軸部３１が突出形成されており、この軸部３１に穿設された接続孔３２に対して、前記した接続軸２５を挿入する。これにより、筒状部２０と円板部３０とが間隙を設けて配設される。そして、この筒状部２０と円板部３０と間隙によって周方向に開口した開口部１０ａが形成される。
【００３０】
このように周方向に開口した開口部１０ａが形成されることで、図４（ｃ）の矢印で示すように、排出口２２から排出された水は円板部３０の上面に当たって開口部１０ａから外へと流れ出す。すなわち、周方向に開口した開口部１０ａから水が排水されてスカート状に広がるので、排水される水でドーム形状が形成されるようになっている。
【００３１】
なお、きれいなドーム形状を形成するには、排出口２２の直径、円板部３０の直径、排出口２２と円板部３０との距離のバランスが重要である。排出口２２の直径は、円板部３０の直径の半分以下であることが望ましい。本実施形態においては、排出口２２の直径は１５ｍｍ、円板部３０の直径は３５ｍｍに設定してある。また、排出口２２と円板部３０との距離は３．５ｍｍに設定してある。
【００３２】
排水遮断手段４０は、上記した開口部１０ａを周方向の所定位置において遮断するためのものであり、本実施形態においては、図５〜７に示すように、第１リング状部材４１、第２リング状部材４２、第３リング状部材４３の３つのリング状部材を重合して形成されている。これらの３つのリング状部材を一体的に結合することで形成される排水遮断手段４０は、筒状部２０の外周に沿って軸方向にスライド可能に配置される。
【００３３】
第１リング状部材４１は、排水遮断手段４０において最も上に配置される部材であり、リング４１ｄの両側にハンドル４１ｃを突出形成させた形状となっている。ハンドル４１ｃは、排水遮断手段４０をスライド操作するときの操作部となる部分であり、上述したように、本体１１のスリット１１ｂから外部に突出して操作可能となっている。
【００３４】
また、第１リング状部材４１のリング４１ｄの周面には、内周方向に弾性変形可能な係止部４１ａが設けられており、この係止部４１ａの表面には、半球状に突出した突起４１ｂが設けられている。この突起４１ｂは、排水遮断手段４０を本体１１に対して位置決めするためのものである。すなわち、特に図示しないが、本体１１の内面には、突起４１ｂと対向する位置に凹部が形成されており、この凹部に突起４１ｂが嵌合することで排水遮断手段４０が本体１１に対して位置決めされるようになっている。この凹部は排水遮断手段４０のスライド方向に沿って複数配設されており、排水遮断手段４０をスライドさせて突起４１ｂを次の凹部まで移動させることで、予め決められた位置において排水遮断手段４０を本体１１に対して位置決め容易となっている。なお、排水遮断手段４０をスライドさせると係止部４１ａが内周方向に弾性変形するので、突起４１ｂが凹部を乗り越えてスライドできるようになっている。
【００３５】
本実施形態においては、凹部が排水遮断手段４０のスライド方向に沿って４つ設けられているため、排水遮断手段４０は４段階でスライドできるようになっている。具体的には、一番上の凹部に突起４１ｂが嵌合したときには図８（ａ）に示す状態となり、上から二番目の凹部に突起４１ｂが嵌合したときには図８（ｂ）に示す状態となり、上から三番目の凹部に突起４１ｂが嵌合したときには図８（ｃ）に示す状態となり、一番下の凹部に突起４１ｂが嵌合したときには図８（ｄ）に示す状態となる。このように排水遮断手段４０をスライドさせて排水遮断手段４０の位置を変えることで、排水された水で形成される形状を変化させることができるようになっている。
【００３６】
第２リング状部材４２は、リング４２ｂの上面の二箇所に互いに対向するように第１遮断部４２ａを形成した部材である。
【００３７】
第１遮断部４２ａは、上端面が第１リング状部材４１に密接することで、第１リング状部材４１と第２リング状部材４２との間に配設される。この第１遮断部４２ａは、平面視で中心方向に向いた矢尻状となっており、第１リング状部材４１と第２リング状部材４２と間を水が流れるようにしたときに、この水の流れを２箇所で分断するようになっている。
【００３８】
第３リング状部材４３は、リング４３ｃの上面の四箇所に均等な間隔で第２遮断部４３ａを形成するとともに、リング４３ｃの下面に半円筒状（あるいは１／３円筒状）の壁である第３遮断部４３ｂを形成した部材である。
【００３９】
第２遮断部４３ａは、上端面が第２リング状部材４２に密接することで、第２リング状部材４２と第３リング状部材４３との間に配設される。この第２遮断部４３ａは、平面視で中心方向に向いた矢尻状となっており、第２リング状部材４２と第３リング状部材４３と間を水が流れるようにしたときに、この水の流れを４箇所で分断するようになっている。
【００４０】
第３遮断部４３ｂは、第３リング状部材４３の下方に突出して配設される。この第３遮断部４３ｂは、平面視で円弧状の壁を形成しており、第３リング状部材４３の下部を水が流れるようにしたときに、この水の流れを円弧状の壁で遮るようになっている。
【００４１】
ここで、上述したように、本実施形態に係る水遊び玩具１０では、排水遮断手段４０をスライドさせることで排水遮断手段４０の位置を変えることができる。排水遮断手段４０の位置を変えると、上記した第１遮断部４２ａ、第２遮断部４３ａ、第３遮断部４３ｂの位置が変わり、これらの遮蔽部が開口部１０ａを遮断したりしなかったりすることで、排水される水で形成される形状が変化する。すなわち、遮断部はそれぞれ開口部１０ａを遮断する位置が異なるように形成されているため、どの遮断部で開口部１０ａを遮断するかによって（または遮断しないことによって）、水で形成される形状を変化させることができる。
【００４２】
具体的には、排水遮断手段４０を一番上までスライドさせると、図８（ａ）に示す状態となり、排水遮断手段４０が開口部１０ａを塞いでいないため、排水される水で形成される形状は切れ目のないドーム状となる。
【００４３】
また、排水遮断手段４０を上から二番目までスライドさせると、図８（ｂ）に示す状態となり、第１遮断部４２ａが開口部１０ａを塞いでいるため、図９（ａ）の破線矢印で示すように、排水される水の流れは二箇所で分断され、二筋の滝状の形状となる。
【００４４】
また、排水遮断手段４０を上から三番目までスライドさせると、図８（ｃ）に示す状態となり、第２遮断部４３ａが開口部１０ａを塞いでいるため、図９（ｂ）の破線矢印で示すように、排水される水の流れは四箇所で分断され、四筋の滝状の形状となる。
【００４５】
また、排水遮断手段４０を一番下までスライドさせると、図８（ｄ）に示す状態となり、第３遮断部４３ｂが開口部１０ａを塞いでいるため、図９（ｃ）の破線矢印で示すように、排水される水で形成される形状は半ドーム状となる。
【００４６】
以上説明したように、本実施形態によれば、筒状部２０と円板部３０と間隙によって周方向に開口した開口部１０ａを形成したので、この開口部１０ａから水が外周方向に排水されてスカート状に広がるので、排水される水でドーム形状を形成することができる。しかも、筒状部２０と円板部３０とを接続する軸部２５、３１を筒状部２０及び円板部３０の中心軸上に配置したので、開口部１０ａからの排水の流れが軸部２５、３１によって妨げられないので、きれいなドーム形状を形成することができる。
【００４７】
また、前記筒状部２０の内周面は、前記排出口２２に向かって徐々に縮径する円錐形状のテーパ部２３を備えているので、排水される水の流速を増すことができる。流速を増すことで開口部１０ａから勢いよく排水することができるので、大きく外側に広がったドーム形状を形成することができる。
【００４８】
また、前記導入口２１に接続されるタンク部１１ｃを備えているため、タンク部１１ｃに水を貯留して開口部１０ａを下にするだけで遊ぶことができる。よって、小さな子供でも簡単に持ち運んで遊ぶことができる。
【００４９】
また、前記開口部１０ａを周方向の所定位置において遮断する排水遮断手段４０を備えているため、排水遮断手段４０を用いることによって水で形成される形状を変えることができる。
【００５０】
また、前記排水遮断手段４０は、前記筒状部２０の外周に沿って軸方向にスライド可能なリング状部材４１、４２、４３で構成されているので、排水遮断手段４０をスライドさせるだけで、水で形成される形状を容易に変えることができる。
【００５１】
また、前記排水遮断手段４０は、前記筒状部２０の外周に沿って軸方向にスライドさせることで、複数の遮断部のうちのどの遮断部で前記開口部１０ａを遮断するかを切替可能である。すなわち、排水遮断手段４０をスライドさせることで、水で形成される形状を多段階に切り替えることができるので、様々な形状を水で形成して遊ぶことができる。
【００５２】
なお、上記した実施形態では、筒状部２０が本体１１に固定されていることとしたが、これに限らず、筒状部２０を着脱可能としてもよい。例えば、ペットボトルの口に筒状部２０を着脱可能とすることで、専用のタンク部１１ｃを設けなくても遊べるようにしてもよい。
【００５３】
また、上記した実施形態では、水の重力を利用してドーム形状を形成するようにしたが、これに限らず、例えばホースに筒状部２０を接続して、放水の圧力を利用してドーム形状を形成するようにしてもよい。
【符号の説明】
【００５４】
１０  水遊び玩具
１０ａ  開口部
１１  本体
１１ａ  把手
１１ｂ  スリット
１１ｃ  タンク部
１１ｄ  脚部
１２  前面パーツ
１３  後面パーツ
１３ａ  給水口
２０  筒状部
２１  導入口
２２  排出口
２３  テーパ部
２４  支持アーム
２５  接続軸
２６  接続突起
３０  円板部
３１  軸部
３２  接続孔
４０  排水遮断手段
４１  第１リング状部材
４１ａ  係止部
４１ｂ  突起
４１ｃ  ハンドル
４１ｄ  リング
４２  第２リング状部材
４２ａ  第１遮断部
４２ｂ  リング
４３  第３リング状部材
４３ａ  第２遮断部
４３ｂ  第３遮断部
４３ｃ  リング
【図１】
0003184088.tif 000003
【図２】
0003184088.tif 000004
【図３】
0003184088.tif 000005
【図４】
0003184088.tif 000006
【図５】
0003184088.tif 000007
【図６】
0003184088.tif 000008
【図７】
0003184088.tif 000009
【図８】
0003184088.tif 000010
【図９】
0003184088.tif 000011